(57)【要約】【課題】低消費電力化を図ることのできる表示品位に優れた表示装置を提供する。【解決手段】第１画素電極を有した第１画素ＰＸａと、第１画素に列方向に隣合い第２画素電極を有した第２画素ＰＸｂと、第１画素に行方向に隣合い第３画素電極を有した第３画素ＰＸｃと、第２画素に行方向に隣合い第３画素に列方向に隣合い第４画素電極を有した第４画素ＰＸｄと、を備えた単位画素ＵＰＸと、第１乃至第４画素に電気的に接続する走査線１５と、列方向に延在し行方向に互いに間隔を置いて設けられて、それぞれ第１乃至第４画素に電気的に接続する第１乃至第４信号線１６と、を備え、前記第１及び第２信号線に付与される反転駆動の映像信号電位は互いに逆極性であり、前記第３及び第４信号線に付与される反転駆動の映像信号電位は互いに逆極性である。【選択図】図６
2015165272.tif 000002
【特許請求の範囲】
【請求項１】
第１画素電極を有した第１画素と、前記第１画素に列方向に隣合い第２画素電極を有した第２画素と、前記第１画素に行方向に隣合い第３画素電極を有した第３画素と、前記第２画素に前記行方向に隣合い前記第３画素に前記列方向に隣合い第４画素電極を有した第４画素と、を備えた単位画素と、
前記行方向に延在し前記第１乃至第４画素に電気的に接続された走査線と、
前記列方向に延在し前記行方向に互いに間隔を置いて設けられた第１乃至第４信号線と、を備え、
前記第１信号線は、前記行方向において前記第１及び第２画素電極と対向した領域内に位置し前記第１画素に電気的に接続され、
前記第２信号線は、前記行方向において前記第１及び第２画素電極と対向した領域内に位置し前記第２画素に電気的に接続され、
前記第３信号線は、前記行方向において前記第３及び第４画素電極と対向した領域内に位置し前記第３画素に電気的に接続され、
前記第４信号線は、前記行方向において前記第３及び第４画素電極と対向した領域内に位置し前記第４画素に電気的に接続され、
前記第１及び第２信号線に付与される反転駆動の映像信号電位は互いに逆極性であり、前記第３及び第４信号線に付与される反転駆動の映像信号電位は互いに逆極性である表示装置。
【請求項２】
前記第１乃至第４画素は、光反射型の画素である請求項１に記載の表示装置。
【請求項３】
前記第１乃至第４画素電極は、光反射型の電極であり、前記第１乃至第４信号線より表示面側に設けられている請求項２に記載の表示装置。
【請求項４】
前記第１乃至第４画素は、互いに異なる色の画像を表示するように構成された画素である請求項１に記載の表示装置。
【請求項５】
前記第１乃至第４画素は、赤色の画像を表示するように構成された画素、緑色の画像を表示するように構成された画素、青色の画像を表示するように構成された画素、及び白色の画像を表示するように構成された画素である請求項４に記載の表示装置。
【請求項６】
前記第１乃至第４信号線は、前記行方向に等間隔に設けられている請求項１に記載の表示装置。
【請求項７】
前記第１画素は、前記走査線、第１信号線及び第１画素電極に電気的に接続された第１スイッチング素子を有し、
前記第２画素は、前記走査線、第２信号線及び第２画素電極に電気的に接続された第２スイッチング素子を有し、
前記第３画素は、前記走査線、第３信号線及び第３画素電極に電気的に接続された第３スイッチング素子を有し、
前記第４画素は、前記走査線、第４信号線及び第４画素電極に電気的に接続された第４スイッチング素子を有している請求項１に記載の表示装置。
【請求項８】
液晶表示装置である請求項１乃至７の何れか１項に記載の表示装置。
【請求項９】
請求項１乃至７の何れか１項に記載の表示装置の単位画素をマトリクス状に配置した画素領域と、
前記画素領域を有するアレイ基板と、
前記アレイ基板と対向して配される対向基板と、を備える反射型液晶表示装置。
【発明の詳細な説明】
【技術分野】
【０００１】
本発明の実施形態は、表示装置及び反射型液晶表示装置に関する。
【背景技術】
【０００２】
一般に、液晶表示装置が知られている。また、近年、モバイル機器が急速に普及している。モバイル機器としては液晶表示装置を用いたスマートフォン等が知られている。モバイル機器としての液晶表示装置においては、高精細化、高色純度化、高輝度化等に代表される表示性能の向上が強く求められている。また、モバイル機器としての液晶表示装置においては、バッテリによる長時間駆動を達成するための低消費電力化も強く求められている。
【０００３】
上記のような高色純度化、高輝度化、低消費電力化等の相反する要求を満足させるために、通常のＲＧＢ（赤、緑、青）の３色の画素構成に替えて、ＲＧＢＷ（赤、緑、青、白）の４色の画素構成を採用する液晶表示装置の開発、製品化が進められている。
【０００４】
しかしながら、画素としていわゆるＲＧＢＷストライプ画素（列方向に延在したＲＧＢＷの４個の画素が行方向に並んで形成された画素）の構成を採用する場合、画素単位での形状が細長い形となり、表示の均一性が大幅に低下するといった問題がある。そこで、表示品位が低下する問題を解消するために、画素としていわゆるＲＧＢＷ正方画素（ＲＧＢＷの４個の正方形の画素が正方配列化された画素）の構成を採用する技術が開発されている。
【０００５】
ところで、ＲＧＢＷ正方画素の場合、ＲＧＢＷストライプ画素に比べて各列に並ぶ画素の数が２倍になる。すると、走査線の本数も２倍になる。しかし、信号線から画素への映像信号の書込み時間は、走査線の本数に依存し、走査線の本数が増えればその分短くせざるを得ない。水平方向の解像度の向上は信号線側の書込み本数を増やすのみで書込み時間への影響はないが、高解像度化やフレーム周波数の増加は、映像信号の書込み時間の短縮を余儀なくされる。これにより、映像信号を書き込む時間を十分に確保できなくなったり、駆動周波数の増加に伴い駆動回路の消費電力が大幅に増加したりしてしまう。
【０００６】
そこで、行方向に並んだ１行のＲＧＢＷ正方画素に対して走査線を１本の割合で設け、列方向に並んだ１列のＲＧＢＷ正方画素に対して信号線を２本の割合で設ける技術が開発されている。即ち、ＲＧＢＷ正方画素を構成する４つの副画素は、１本の走査線を共用している。これにより、ＲＧＢＷ正方画素の構成を採用し、駆動周波数を増加させても、映像信号を書き込む時間を十分に確保することができる。また、駆動回路の消費電力の増大を抑制することができる（低消費電力化を図ることができる）。
【先行技術文献】
【特許文献】
【０００７】
【特許文献１】国際公開第２０１１／０８９８３８号パンフレット
【特許文献２】特開２０１０−２６２４５号公報
【発明の概要】
【発明が解決しようとする課題】
【０００８】
しかしながら、画素が並んだ１列に対して信号線を２本の割合で設けた場合、隣合う信号線間に生じる結合容量が大きくなる恐れがあり、信号線にノイズが生じる恐れがある。信号線にノイズが生じると、信号線に印加される映像信号の電圧値が不所望に変動し、上記電圧値に誤差が生じてしまう。これにより、表示品位の低下を招いてしまう。
【０００９】
この発明は以上の点に鑑みなされたもので、その目的は、低消費電力化を図ることのできる表示品位に優れた表示装置を提供することにある。
【課題を解決するための手段】
【００１０】
一実施形態に係る表示装置は、第１画素電極を有した第１画素と、前記第１画素に列方向に隣合い第２画素電極を有した第２画素と、前記第１画素に行方向に隣合い第３画素電極を有した第３画素と、前記第２画素に前記行方向に隣合い前記第３画素に前記列方向に隣合い第４画素電極を有した第４画素と、を備えた単位画素と、前記行方向に延在し前記第１乃至第４画素に電気的に接続された走査線と、前記列方向に延在し前記行方向に互いに間隔を置いて設けられた第１乃至第４信号線と、を備え、前記第１信号線は、前記行方向において前記第１及び第２画素電極と対向した領域内に位置し前記第１画素に電気的に接続され、前記第２信号線は、前記行方向において前記第１及び第２画素電極と対向した領域内に位置し前記第２画素に電気的に接続され、前記第３信号線は、前記行方向において前記第３及び第４画素電極と対向した領域内に位置し前記第３画素に電気的に接続され、前記第４信号線は、前記行方向において前記第３及び第４画素電極と対向した領域内に位置し前記第４画素に電気的に接続され、前記第１及び第２信号線に付与される反転駆動の映像信号電位は互いに逆極性であり、前記第３及び第４信号線に付与される反転駆動の映像信号電位は互いに逆極性である。
【図面の簡単な説明】
【００１１】
【図１】本実施の形態の反射型液晶表示装置を示す概略の平面構成図である。
【図２】本実施の形態の反射型液晶表示装置の概略の断面構成図である。
【図３】本実施の形態の反射型液晶表示装置のアレイ基板の概略構成を示す平面図である。
【図４】本実施の形態の反射型液晶表示装置のアレイ基板の１つの単位画素を取り出して示す図である。
【図５】本実施の形態の反射型液晶表示装置のアレイ基板の積層構造を示す断面図である。
【図６】本実施の形態の反射型液晶表示装置の画素電極と信号線とのカップリング容量を示す図である。
【図７】本実施の形態の反射型液晶表示装置のカップリング容量の存在による表示品位への影響を説明するための図である。
【図８】本実施の形態の反射型液晶表示装置のカップリング容量の存在による表示品位への影響を低減する方法を説明するための図である。
【発明を実施するための形態】
【００１２】
以下に、本発明の実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
図１は、本実施の形態の反射型液晶表示装置を示す概略の平面構成図である。  
液晶表示装置は、液晶表示パネル１０、信号線駆動回路９０、制御部１００、及びＦＰＣ（flexible printed circuit）１１０を備えている。
液晶表示パネル１０は、アレイ基板１と、アレイ基板１に所定の隙間を置いて対向配置された対向基板２と、これら両基板間に挟持された液晶層３とを備えている。信号線駆動回路９０は、映像信号出力部として機能する。制御部１００は、液晶表示装置の動作を統括して制御する。ＦＰＣ１１０は、液晶表示パネル１０を駆動するための信号を授受するための通信路である。また、液晶表示パネル１０の表示領域ＡＡには、後述する画素ＰＸがマトリクス状に配置されている。
【００１４】
図２は、本実施の形態の反射型液晶表示装置の概略の断面構成図である。  
上述のように、液晶表示パネル１０は、アレイ基板１、対向基板２、及び両基板間に狭持された液晶層３を備えている。
【００１５】
アレイ基板１は、透明な絶縁性の基板として、例えばガラス基板４ａを備えている。このガラス基板４ａの液晶層３と対向する面には、図示しないが画素電極（反射電極）、画素回路を構成する後述する走査線、信号線、スイッチング素子などが積層されている。アレイ基板１の外面部（液晶層３と反対の面）には第１光学部７が設けられている。第１光学部７は、例えば偏光板である。
【００１６】
対向基板２は、透明な絶縁基板として、例えばガラス基板４ｂを備えている。図示しないが、ガラス基板４ｂ上には、カラーフィルタ、対向電極（共通電極）及び配向膜が順に形成され、対向基板２を形成している。対向基板２の外面部（液晶層３と反対の面）には第２光学部８が設けられている。第２光学部８は、例えば偏光板である。第２光学部８の外面は表示面である。
【００１７】
アレイ基板１及び対向基板２間の隙間はスペーサにより、例えば柱状スペーサ５により保持されている。アレイ基板１及び対向基板２は、これら両基板の周縁部に配置されたシール材６により接合されている。
【００１８】
図３は、本実施の形態の反射型液晶表示装置のアレイ基板の概略構成を示す平面図である。  
表示領域ＡＡにおいて、ガラス基板４ａ上にはマトリクス状に配置された複数の単位画素ＵＰＸが形成されている。単位画素ＵＰＸは、行方向Ｘにｍ個並べられ、行方向Ｘに直交した列方向Ｙにｎ個並べられている。ここで、単位画素ＵＰＸは、ＲＧＢＷ正方画素を表す。
【００１９】
各単位画素ＵＰＸは、複数の画素ＰＸを備えている。ここでは、各単位画素ＵＰＸは、第１乃至第４画素ＰＸａ乃至ＰＸｄを備えている。第２画素ＰＸｂは、第１画素ＰＸａに列方向Ｙに隣合って位置している。第３画素ＰＸｃは、第１画素ＰＸａに行方向Ｘに隣合って位置している。第４画素ＰＸｄは、第２画素ＰＸｂに行方向Ｘに隣合い第３画素ＰＸｃに列方向Ｙに隣合って位置している。
【００２０】
ここで、単位画素ＵＰＸの単位ではなく画素ＰＸの単位に着目すると、複数の画素ＰＸは、行方向Ｘに２ｍ個並べられ、列方向Ｙに２ｎ個並べられている。奇数行において、第２画素ＰＸｂ及び第４画素ＰＸｄが交互に順に並べられている。偶数行において、第１画素ＰＸａ及び第３画素ＰＸｃが交互に順に並べられている。奇数列において、第２画素ＰＸｂ及び第１画素ＰＸａが交互に順に並べられている。偶数列において、第４画素ＰＸｄ及び第３画素ＰＸｃが交互に順に並べられている。
【００２１】
なお、上記単位画素ＵＰＸを絵素と言い換えることができる。また、単位画素ＵＰＸを画素と言い換えることができ、この場合、上記画素ＰＸを副画素と言い換えることができる。
【００２２】
表示領域ＡＡの外側において、ガラス基板４ａ上に、走査線駆動回路１１及びアウタリードボンディング（outer lead bonding）のパッド群ｐＧが形成されている。
【００２３】
表示領域ＡＡにおいて、ガラス基板４ａ上には、複数本（ｎ本）の走査線１５及び複数（４ｍ本）の信号線１６が配置されている。信号線１６は、列方向Ｙに延在し行方向Ｘに互いに間隔を置いて設けられている。走査線１５は、行方向Ｘに延出し、第１乃至第４画素ＰＸａ乃至ＰＸｄに電気的に接続されている。行方向Ｘに並べられた複数の単位画素ＵＰＸの第１乃至第４画素ＰＸａ乃至ＰＸｄは、同一の走査線１５に電気的に接続されている。
【００２４】
図４は、本実施の形態の反射型液晶表示装置の単位画素ＵＰＸを取り出して示す平面図である。  
図３及び図４に示すように、複数の信号線１６のうち、第１乃至第４信号線１６ａ乃至１６ｄの４本の信号線は、列方向Ｙに並べられた複数の単位画素ＵＰＸに対応している。第１乃至第４画素ＰＸａ乃至ＰＸｄは、互いに異なる色の画像を表示するように構成された画素である。この実施形態において、第１乃至第４画素ＰＸａ乃至ＰＸｄは、赤色（Ｒ）、緑色（Ｇ）、青色（Ｂ）及び白色（無彩色、Ｗ）の画像を表示するように構成された画素である。
【００２５】
第１画素ＰＸａは、第１画素電極２１ａと、第１スイッチング素子２２ａと、を有し、青色（Ｂ）の画像を表示するように構成されている。第１スイッチング素子２２ａは、走査線１５、第１信号線１６ａ及び第１画素電極２１ａに電気的に接続されている。この実施形態において、第１スイッチング素子２２ａは、ＴＦＴ（薄膜トランジスタ）で形成されている。第１スイッチング素子２２ａは、走査線１５に電気的に接続されたゲート電極と、第１信号線１６ａに電気的に接続されたソース電極と、第１画素電極２１ａに電気的に接続されたドレイン電極と、を有している。
【００２６】
第２画素ＰＸｂは、第２画素電極２１ｂと、第２スイッチング素子２２ｂと、を有し、赤色（Ｒ）の画像を表示するように構成されている。第２スイッチング素子２２ｂは、走査線１５、第２信号線１６ｂ及び第２画素電極２１ｂに電気的に接続されている。この実施形態において、第２スイッチング素子２２ｂは、ＴＦＴで形成されている。第２スイッチング素子２２ｂは、走査線１５に電気的に接続されたゲート電極と、第２信号線１６ｂに電気的に接続されたソース電極と、第２画素電極２１ｂに電気的に接続されたドレイン電極と、を有している。
【００２７】
第３画素ＰＸｃは、第３画素電極２１ｃと、第３スイッチング素子２２ｃと、を有し、白色（Ｗ）の画像を表示するように構成されている。第３スイッチング素子２２ｃは、走査線１５、第３信号線１６ｃ及び第３画素電極２１ｃに電気的に接続されている。この実施形態において、第３スイッチング素子２２ｃは、ＴＦＴで形成されている。第３スイッチング素子２２ｃは、走査線１５に電気的に接続されたゲート電極と、第３信号線１６ｃに電気的に接続されたソース電極と、第３画素電極２１ｃに電気的に接続されたドレイン電極と、を有している。
【００２８】
第４画素ＰＸｄは、第４画素電極２１ｄと、第４スイッチング素子２２ｄと、を有し、緑色（Ｇ）の画像を表示するように構成されている。第４スイッチング素子２２ｄは、走査線１５、第４信号線１６ｄ及び第４画素電極２１ｄに電気的に接続されている。この実施形態において、第４スイッチング素子２２ｄは、ＴＦＴで形成されている。第４スイッチング素子２２ｄは、走査線１５に電気的に接続されたゲート電極と、第４信号線１６ｄに電気的に接続されたソース電極と、第４画素電極２１ｄに電気的に接続されたドレイン電極と、を有している。
【００２９】
図５は、本実施の形態の反射型液晶表示装置のアレイ基板１の積層構造を示す断面図である。図５は、図４の第１画素ＰＸａ及び第３画素ＰＸｃの矢視Ｖ−Ｖに沿う断面を示している。
ガラス基板４ａ上には下地部１４が形成されている。ここで下地部１４は、順に積層された不図示のアンダーコート膜、第１スイッチング素子２２ａ及び第３スイッチング素子２２ｃ（半導体層、ゲート絶縁膜、ゲート電極等）、走査線１５、層間絶縁膜等で形成されている。第１スイッチング素子２２ａ及び第３スイッチング素子２２ｃのゲート電極は、走査線１５の一部を延在して形成され得る。
【００３０】
下地部１４上には、信号線１６等が形成されている。下地部１４及び信号線１６上には、平坦化膜１９が形成されている。平坦化膜１９は、アレイ基板１の表面の凹凸を低減する機能を有している。第１画素電極２１ａ及び第３画素電極２１ｃは、平坦化膜１９上に形成されている。平坦化膜１９及び画素電極２１上に、配向膜２３が形成されアレイ基板１を形成している。
【００３１】
上記のように形成される液晶表示装置は、光反射型の液晶表示装置である。このため、図３乃至図５に示す第１乃至第４画素ＰＸａ乃至ＰＸｄは、光反射型の画素である。この実施形態において、第１乃至第４画素電極２１ａ乃至２１ｄは、光反射型の電極であり、Ａｌ（アルミニウム）等の光反射性を有する材料で形成された導電層を有している。これにより、第１乃至第４画素電極２１ａ乃至２１ｄは、表示面（第２光学部８の外面）側から入射された光を上記表示面側に反射する。
【００３２】
ここで、上記第１乃至第４信号線１６ａ乃至１６ｄについて詳細に説明する。  
第１乃至第４信号線１６ａ乃至１６ｄは、第１乃至第４画素電極２１ａ乃至２１ｄよりガラス基板４ａ側に設けられている。言い換えると、第１乃至第４画素電極２１ａ乃至２１ｄは、第１乃至第４信号線１６ａ乃至１６ｄより表示面側に設けられている。
【００３３】
第１信号線１６ａは、行方向Ｘにおいて第１及び第２画素電極２１ａ及び２１ｂと対向した領域内に位置し、第１画素ＰＸａ（第１スイッチング素子２２ａ）に電気的に接続されている。第２信号線１６ｂは、行方向Ｘにおいて第１及び第２画素電極２１ａ及び２１ｂと対向した領域内に位置し、第２画素ＰＸｂ（第２スイッチング素子２２ｂ）に電気的に接続されている。第３信号線１６ｃは、行方向Ｘにおいて第３及び第４画素電極２１ｃ及び２１ｄと対向した領域内に位置し、第３画素ＰＸｃ（第３スイッチング素子２２ｃ）に電気的に接続されている。第４信号線１６ｄは、行方向Ｘにおいて第３及び第４画素電極２１ｃ及び２１ｄと対向した領域内に位置し、第４画素ＰＸｄ（第４スイッチング素子２２ｄ）に電気的に接続されている。
【００３４】
この実施形態において、信号線１６（第１乃至第４信号線１６ａ乃至１６ｄ）は、行方向Ｘに等間隔に設けられている。また、行方向Ｘにおいて、信号線１６は、対向した画素電極２１の側縁に隙間を置いて位置している。走査線１５は、行方向Ｘに並んだ複数の単位画素ＵＰＸの第１乃至第４画素ＰＸａ乃至ＰＸｄに電気的に接続されている。
【００３５】
上記のように構成された一実施形態に係る液晶表示装置によれば、液晶表示装置は、複数の単位画素ＵＰＸと、複数の走査線１５と、複数の信号線１６とを有している。単位画素ＵＰＸは、第１乃至第４画素ＰＸａ乃至ＰＸｄを有し、これら第１乃至第４画素ＰＸａ乃至ＰＸｄが正方配列化されて形成されている。第１乃至第４画素ＰＸａ乃至ＰＸｄの各々の形状は、略正方形である。液晶表示装置は、いわゆるＲＧＢＷ正方画素の構成を採用しているため、いわゆるＲＧＢＷストライプ画素の構成を採用する場合と比べて表示の均一性の低下を抑制することができる。
【００３６】
１本の走査線１５を２行分の複数の画素ＰＸ（ＰＸａ、ＰＸｂ、ＰＸｃ、ＰＸｄ）で共用し、複数の画素ＰＸ（ＰＸａ及びＰＸｂ、又はＰＸｃ及びＰＸｄ）が並んだ１列に対して信号線１６を２本の割合で設けている。このため、液晶表示装置がＲＧＢＷ正方画素の構成を採用し、信号線１６の駆動周波数（信号線１６に与える映像信号の周波数）を増加させても、映像信号を書き込む時間を十分に確保することができる。また、走査線１５の本数を半分にすることができるため、走査線１５を駆動するために走査線駆動回路１１及び制御部１００等によって生成される制御信号の数を半分にすることができる。このため、駆動回路（走査線駆動回路１１）の消費電力の増大を抑制することができる（低消費電力化を図ることができる）。
【００３７】
さらに、本実施形態においては、複数の画素ＰＸが並んだ１列に対して信号線１６を２本の割合で設け、１列の全ての画素ＰＸに信号線１６を接続させた場合に比べて信号線１６の駆動周波数を半分に（小さく）することができる。これにより、外部ソースＩＣ（信号線駆動回路９０及び制御部１００）の消費電力の増大を抑制することができる。
【００３８】
第１及び第２信号線１６ａ及び１６ｂは、第１及び第２画素電極２１ａ及び２１ｂと対向した領域内に位置している。第３及び第４信号線１６ｃ及び１６ｄは、第３及び第４画素電極２１ｃ及び２１ｄと対向した領域内に位置している。第１及び第２画素電極２１ａ及び２１ｂは、第１及び第２信号線１６ａ及び１６ｂに対してシールド電極として機能し、第１及び第２信号線１６ａ及び１６ｂを静電遮蔽している。第３及び第４画素電極２１ｃ及び２１ｄは、第３及び第４信号線１６ｃ及び１６ｄに対してシールド電極として機能し、第３及び第４信号線１６ｃ及び１６ｄを静電遮蔽している。
【００３９】
また、行方向Ｘにおいて、信号線１６を隣接する画素電極２１（画素ＰＸ）間の狭い隙間に配置する必要は無い。このため、画素ＰＸが並んだ１列に対して信号線１６を２本の割合で設けても、隣合う信号線１６間に生じる恐れのある結合容量を抑制することができ、信号線１６に生じる恐れのあるノイズを低減することができる。信号線１６に印加される映像信号の電圧値の不所望な変動を低減することができるため、表示品位の低下を抑制することができる。
【００４０】
なお、本実施形態に係る信号線１６は行方向Ｘに等間隔に設けられている。信号線１６の間隔を大きくし、信号線１６に結合容量を生じ難くすることができるため、表示品位の低下を一層、抑制することができる。さらに、隣合う信号線１６間に結合容量が生じても、信号線１６に生じる結合容量をバランスさせることができ、これによっても表示品位の低下を抑制することができる。
【００４１】
また、画素電極２１は、光反射型の電極であり、信号線１６より表示面側に設けられている。このため、一般に金属で形成され遮光性を有する信号線１６が開口率を低下させることはない。このため、本実施形態に係る光反射型の液晶表示装置は、光透過型の液晶表示装置と比べて開口率（光反射率）の増大を図ることができる。
【００４２】
行方向Ｘにおいて、信号線１６は、対向した画素電極２１の側縁に隙間を置いて位置している。露光装置等の製造装置の精度を考慮し、画素電極２１の側縁にマージンをとって信号線１６を設けている。これにより、行方向Ｘにおいて、画素電極２１と対向した領域からはみ出すこと無しに信号線１６を設けることができる。  
上述したことから、低消費電力化を図ることのできる表示品位に優れた液晶表示装置を得ることができる。
【００４３】
続いて、更に表示品位を高めるための方法について説明する。  
図６は、本実施の形態の反射型液晶表示装置の画素電極２１と信号線１６とのカップリング容量を示す図である。
【００４４】
例えば、第１画素ＰＸａについては、電極２１ａと信号線１６ａとの間にはカップリング容量Ｃａ１が存在し、電極２１ａと信号線１６ｂとの間にはカップリング容量Ｃａ２が存在する。第２画素ＰＸｂ乃至第４画素ＰＸｄについても同様にカップリング容量Ｃｂ１乃至Ｃｄ２が存在する。そして、上述のように画素電極２１と対向した領域内に信号線１６を配置したことで、画素電極２１と信号線１６とが近接して配されたことによって、画素電極２１と信号線１６とのカップリング容量が従来よりも増加している。
【００４５】
図７は、本実施の形態の反射型液晶表示装置のカップリング容量の存在による表示品位への影響を説明するための図である。
図７では、第１画素ＰＸａを例として、走査線１５、信号線１６ａ、１６ｂ、及び画素電極２１ａの電位変化を表している。ここで、信号線１６ａ、１６ｂに印加される映像信号の電位は、ドット反転駆動またはライン反転駆動などの反転駆動によりフレーム毎に極性が反転している。
【００４６】
第１フレームの開始時刻ｔ０において、信号線１６ａ、１６ｂにはともに映像信号として正極性の電位が付与される。このとき、画素電極２１ａには、前フレームにおける負極性の電位が保持されている。このため、信号線１６ａ、１６ｂの電位がカップリング容量Ｃａ１、Ｃａ２を介して画素電極２１ａに作用し、保持状態の画素電極２１ａの電位が変動する。
【００４７】
走査線１５に駆動パルス信号が付与される時刻ｔ１において、第１スイッチング素子２２ａのソース電極とドレイン電極間が導通して信号線１６ａから画素電極２１ａに正極性の電位が印加される。画素電極２１ａは、次の第２フレームの開始時刻ｔ２まで、印加された電位を保持する。
【００４８】
次の第２フレームの開始時刻ｔ２において、信号線１６ａ、１６ｂにはともに映像信号として負極性の電位が付与される。このとき、画素電極２１ａには、前の第１フレームにおける正極性の電位が保持されている。このため、信号線１６ａ、１６ｂの電位がカップリング容量Ｃａ１、Ｃａ２を介して画素電極２１ａに作用し、保持状態の画素電極２１ａの電位が変動する。
【００４９】
走査線１５に駆動パルス信号が付与される時刻ｔ３において、第１スイッチング素子２２ａのソース電極とドレイン電極間が導通して信号線１６ａから画素電極２１ａに負極性の電位が印加される。画素電極２１ａは、次の第３フレームの開始時刻ｔ４まで、印加された電位を保持する。
【００５０】
以上説明したように、画素電極２１と対向した領域内に２本の信号線１６を配置したことによって画素電極２１と信号線１６とのカップリング容量が従来よりも増加し、その結果として保持状態の画素電位が極性反転に伴って変動する。
【００５１】
図８は、本実施の形態の反射型液晶表示装置のカップリング容量の存在による表示品位への影響を低減する方法を説明するための図である。  
第１フレームの開始時刻ｔ０において、信号線１６ａには映像信号として正極性の電位が付与され、信号線１６ｂには映像信号として負極性の電位が付与される。このとき、画素電極２１ａには、前フレームにおける負極性の電位が保持されている。このため、信号線１６ａ、１６ｂの電位がカップリング容量Ｃａ１、Ｃａ２を介して画素電極２１ａに作用するが、信号線１６ａ、１６ｂの電位は互いに逆極性であるため、保持状態の画素電極２１ａの電位変動は大きく低減される。
【００５２】
走査線１５に駆動パルス信号が付与される時刻ｔ１において、第１スイッチング素子２２ａのソース電極とドレイン電極間が導通して信号線１６ａから画素電極２１ａに正極性の電位が印加される。画素電極２１ａは、次の第２フレームの開始時刻ｔ２まで、印加された電位を保持する。
【００５３】
次の第２フレームの開始時刻ｔ２において、信号線１６ａには映像信号として負極性の電位が付与され、信号線１６ｂには映像信号として正極性の電位が付与される。このとき、画素電極２１ａには、前の第１フレームにおける正極性の電位が保持されている。このため、信号線１６ａ、１６ｂの電位がカップリング容量Ｃａ１、Ｃａ２を介して画素電極２１ａに作用するが、信号線１６ａ、１６ｂの電位は互いに逆極性であるため、保持状態の画素電極２１ａの電位変動は大きく低減される。
【００５４】
走査線１５に駆動パルス信号が付与される時刻ｔ３において、第１スイッチング素子２２ａのソース電極とドレイン電極間が導通して信号線１６ａから画素電極２１ａに負極性の電位が印加される。画素電極２１ａは、次の第３フレームの開始時刻ｔ４まで、印加された電位を保持する。
【００５５】
以上説明したように、画素電極２１と対向した領域内の２本の信号線１６に印加する電位を逆極性とすることによって、画素電極２１と信号線１６とのカップリング容量の増加に伴う保持状態の画素電極２１ａの電位変動を大きく低減することができる。  
ここで、図７、図８では第１画素ＰＸａを例として説明したが、第２画素ＰＸｂ乃至第４画素ＰＸｄについても同様である。
【００５６】
なお、上述の反転駆動において、画素電極２１と対向した領域内の２本の信号線１６に与える逆極性は、行方向に隣接するそれぞれの画素電極２１について独立に設定することができる。
ここで、正方画素に使用する色の種類、及び正方画素内の色の配列については上述の各実施の形態で示した例に限定されない。  
なお、上述の実施の形態では、適宜正方画素、単位画素の用語を使用しているが、本願発明が正方画素に限定されないことは明らかである。
【００５７】
本発明の実施の形態として上述した表示装置を基にして、当業者が適宜設計変更して実施し得る全ての表示装置も、本発明の要旨を包含する限り、本発明の範囲に属する。
【００５８】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００５９】
また、本実施形態において述べた態様によりもたらされる他の作用効果について本明細書記載から明らかなもの、又は当業者において適宜想到し得るものについては、当然に本発明によりもたらされるものと解される。
【００６０】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６１】
１…アレイ基板、２…対向基板、３…液晶層、１０…液晶表示パネル、１５…走査線、１６，１６ａ，１６ｂ，１６ｃ，１６ｄ…信号線、２１，２１ａ，２１ｂ，２１ｃ，２１ｄ…信号線、ＵＰＸ…単位画素、ＰＸ，ＰＸａ，ＰＸｂ，ＰＸｃ，ＰＸｄ…画素、ＡＡ…表示領域、Ｘ…行方向、Ｙ…列方向
【図１】
2015165272.tif 000003
【図２】
2015165272.tif 000004
【図３】
2015165272.tif 000005
【図４】
2015165272.tif 000006
【図５】
2015165272.tif 000007
【図６】
2015165272.tif 000008
【図７】
2015165272.tif 000009
【図８】
2015165272.tif 000010